(57)【要約】【課題】ファインダ接眼部から入光した迷光、撮像光学系から入光する内面反射などから発生する不要光が撮像素子に導かれることを防止し、高品質な画像を得られる撮像装置を提供すること。【解決手段】撮影者が複数の光学部材群を通して被写体像を観察するファインダ光学系と、被写体像を光電変換して画像信号を生成し、焦点検出を行う撮像素子と、被写体像を前記ファインダに入光する光束と前記撮像素子に入光する光束とに分割する光学部材（ハーフミラー）と、前記光学部材を任意の角度に固定保持する保持部材と、を備え、前記光学部材と前記ファインダ光学系の間に位置し光束を遮光することが可能な遮光部材を備えることを特徴とする。【選択図】図１
2016133691.tif 000002
【特許請求の範囲】
【請求項１】
撮影者が複数の光学部材群を通して被写体像を観察するファインダ光学系（４）と、
被写体像を光電変換して画像信号を生成し、焦点検出を行う撮像素子（３３）と、
被写体像を前記ファインダに入光する光束と前記撮像素子に入光する光束とに分割する光学部材（ハーフミラー４００）と、
前記光学部材（４００）を所定の角度に固定保持する保持部材（５００）と、を備え、
前記光学部材（４００）と前記ファインダ光学系（４）の間に位置し光束を遮光することが可能な遮光部材（３００）を備えることを特徴とする撮像装置。
【請求項２】
前記遮光部材（３００）は複数の羽根部材（５１０）から構成され、開口時には前記羽根部材（５１０）が被写体側から撮影者側（Ｚ方向）に走行し、撮影者側に重畳し退避することを特徴とする請求項１に記載の撮像装置。
【請求項３】
前記撮像素子（３３）は前記遮光部材（３００）の走行方向と直角（Ｙ方向）に位置し、かつ前記撮像素子（３３）直上に前記遮光部材退避位置が配置されることを特徴とする請求項１又は請求項２に記載の撮像装置。
【請求項４】
前記ファインダ光学系（４）と前記撮像素子（３３）は前記保持部材（５００）に取付き、位置調整可能な構造であることを特徴とする請求項１乃至請求項３の何れか一項に記載の撮像装置。
【請求項５】
複数の羽根部材から構成され、前記撮像素子（３３）に入光する光束を遮光可能な遮光部材（６００）を備え、前記撮像素子遮光部材（６００）を駆動する駆動部材の回転軸と前記遮光部材（３００）を駆動する駆動部材の回転軸は平行に配置されることを特徴とする請求項１乃至請求項４の何れか一項に記載の撮像装置。
【請求項６】
前記撮像素子（３３）を遮光する複数の羽根部材から構成される遮光部材（６００）を備え、１つの駆動部材（６０５）で前記撮像素子遮光部材（６００）と前記遮光部材（３００）を駆動することを特徴とする請求項１乃至請求項４の何れか一項に記載の撮像装置。
【発明の詳細な説明】
【技術分野】
【０００１】
本発明は、被写体からの光束を観察可能な光学式ファインダーを備えた撮像装置に関し、特に撮像中の不要な迷光・内面反射防止構造に関する。
【背景技術】
【０００２】
従来、一般的に一眼レフカメラや電子スチルカメラなどの撮像装置では、被写体の光束をハーフミラーなどの光学部材を用いて分光し、撮像用の撮像素子と観察用の光学式ファインダに導くように構成されている。
【０００３】
しかしながら、ファインダの接眼レンズより侵入した光線が、ハーフミラーを透過し撮像装置内部で反射し撮像素子に到達することで、撮影画像に意図せず不要な光が写りこみ画像劣化を招くことがある。
【０００４】
これらの不要光を防ぐために、特許文献１には、光線を分割するビームスプリッタ側面にゴースト反射面を備える事でファインダ側から侵入する光線を防止する構成が開示されている。特許文献２には、観察時には分光手段を半透光状態にし、ファインダと撮像素子に光を導き、撮影時には分光手段を退避させ撮像素子のみに光を与え、分光手段を遮光状態に制御する構成が開示されている。
【先行技術文献】
【特許文献】
【０００５】
【特許文献１】特開平１０−２６０４５４号公報
【特許文献２】特開２００１−１８９８８０号公報
【発明の概要】
【発明が解決しようとする課題】
【０００６】
しかしながら、上述の特許文献に開示された従来技術では、ファインダ接眼から入光する不要な光線に対しては有効であるが、撮像光学系から入光した光線は撮像装置内部や分光手段で反射し、不要な光線（内面反射など）として撮像素子に導かれてしまう。
【０００７】
そこで、本発明の目的は、ファインダ接眼部から入光した迷光のみならず撮像光学系から入光する内面反射などから発生する不要光が撮像素子に導かれることを防止し、高品質な画像を得られる撮像装置を提供することにある。
【課題を解決するための手段】
【０００８】
上記の目的を達成するために、本発明の撮像装置は、
撮影者が複数の光学部材群を通して被写体像を観察するファインダ光学系と、
被写体像を光電変換して画像信号を生成し、焦点検出を行う撮像素子と、
被写体像を前記ファインダに入光する光束と前記撮像素子に入光する光束とに分割する光学部材（ハーフミラー）と、
前記光学部材を任意の角度に固定保持する保持部材と、を備え、
前記光学部材と前記ファインダ光学系の間に位置し光束を遮光することが可能な遮光部材を備えることを特徴とする。
【発明の効果】
【０００９】
本発明によれば、画像劣化原因となる不要な光が撮像素子に導かれることを防止し、高品質な画像を得られる撮像装置の提供を実現できる。
【図面の簡単な説明】
【００１０】
【図１】本発明の実施形態における撮像装置の光軸で切断した時の断面概略図
【図２】本発明の実施形態における撮像装置
【図３】本発明の実施形態における撮像装置の主要な電気的構成
【図４】本発明の実施形態を構成する要素の分解図
【図５】本発明の実施形態における遮光部材の走行状態を示す図
【図６】本発明の実施形態における遮光部材の分解図
【図７（１）】本発明の実施形態における駆動部の配置図
【図７（２）】本発明の実施形態における駆動部の配置図
【図７（３）】本発明の実施形態における駆動部の配置図
【図７（４）】本発明の実施形態における駆動部の配置図
【図７（５）】本発明の実施形態における駆動部の配置図
【発明を実施するための形態】
【００１１】
以下に、本発明の好ましい実施の形態を、添付の図面に基づいて詳細に説明する。
【００１２】
図２は本実施の形態に係る撮像装置の外観を示す図である。具体的には、図２（ａ）はカメラ前面側より見た斜視図であり、図２（ｂ）はカメラ背面側より見た斜視図である。図３は本実施の形態に係る撮像装置の主要な電気的構成を示すブロック図である。
【００１３】
図２、図３において、カメラ本体１には、撮影時に使用者がカメラを安定して握り易いように前方に突出したグリップ部１ａが設けられている。
【００１４】
マウント部２は、着脱可能な撮影レンズユニット（不図示）をカメラ本体に固定させる。
【００１５】
マウント接点２１は、カメラ本体と撮影レンズユニットとの間で制御信号、状態信号、データ信号などの通信を行うと共に、撮影レンズユニット側に電力の供給を行う。また、マウント接点２１は電気通信のみならず、光通信、音声通信などができるように構成してもよい。
【００１６】
５はレンズロック解除釦で、このレンズロック解除釦を押すと同時にレンズユニットを回転することで、撮影レンズユニットを取り外すことができる。
【００１７】
カメラ筐体内に配置されたミラーボックス５００には、撮影レンズを通過した撮影光束が導かれる。ミラーボックス５００の内部には、ハーフミラー等の光学部材４００が任意の角度で固定されている。
【００１８】
カメラグリップ側上部には、撮影開始スイッチとしてのレリーズ釦７、撮影時のシャッタスピードやレンズ絞り値等を変更するための第１の操作ダイヤル８、撮影系の動作モード設定釦１０が配置されている。これらの操作部材の設定状況の一部は、ＬＣＤ表示パネル９に表示される。
【００１９】
レリーズ釦７は２段階で押圧操作され、第１のストロークでＳＷ１（７ａ）がＯＮし、撮影準備動作（測光動作や焦点調節動作等）が開始される。更に第２のストロークでＳＷ２（７ｂ）がＯＮし、撮影動作（遮光部材３００の駆動、フォーカルプレーンシャッター６００の走行と撮像素子３３の露光及び電荷信号の読み出し、及び電荷信号を処理して得られた画像データの記録媒体への記録）が開始される。
【００２０】
動作モード設定釦１０は、単写・連写撮影の選択、セルフ撮影モードの設定、ＡＦモード設定・ＩＳＯ感度設定・測光モード設定などを行うことができる。
【００２１】
カメラ中央上部には、カメラ本体に対してポップアップする発光ユニット１１と外部アクセサリ及びフラッシュ取付け用のシュー溝１２とフラッシュ接点１３がある。カメラ上部には撮影モード設定ダイヤル１４が配置されている。
【００２２】
グリップ１ａに対して反対側の側面には、開閉可能な外部端子蓋１５が設けられ、外部端子蓋１５内部には、外部インタフェースとしてビデオ信号出力用端子・音声入力端子・リモコン端子（不図示）などが納められている。
【００２３】
カメラ背面側上部にはファインダ接眼窓１８が設けられ、背面側中央付近には画像表示可能なカラー液晶モニタ１９が設けられている。
【００２４】
カラー液晶モニタ１９の横に配置された第２の操作ダイヤル２０は、第１の操作ダイヤル８の機能の補助的役割を担い、例えば動作モード設定釦１０の各種設定値の変更やマニュアルモード時のレンズ絞り値の設定などに仕様される。また、この第２の操作ダイヤル２０は、カラー液晶モニタ１９に表示される撮影済み画像の表示選択にも用いられる。
【００２５】
メインスイッチ４３はカメラの動作を起動もしくは停止する。
【００２６】
マイクロコンピュータの中央処理装置（以下、ＭＰＵという）１００はカメラ本体に内蔵されている。ＭＰＵ１００は、カメラの動作を制御し、各要素に対して様々な処理や指示を実行する。
【００２７】
ＭＰＵ１００に内蔵されたＥＥＰＲＯＭ  １００ａは、時刻計測回路１０９の計時情報やその他の情報を記憶可能である。
【００２８】
ＭＰＵ１００には、遮光部材駆動回路１０２、シャッタ駆動回路１０３、映像信号処理回路１０４、スイッチセンス回路１０５、測光回路１０６が接続されている。また、液晶表示駆動回路１０７、バッテリチェック回路１０８、時刻計測回路１０９、電源供給回路１１０、圧電素子駆動回路１１１も接続されている。これらの回路はＭＰＵの制御により動作するものである。
【００２９】
また、ＭＰＵ１００は、撮影レンズユニット内に配置されたレンズ制御回路２０１と、マウント接点２１を介して通信を行う。レンズ制御回路２０１は、ＭＰＵ１００との間で通信し、撮影レンズユニット内の撮影レンズ２００および絞り２０４の駆動を、ＡＦ駆動回路２０２および絞り駆動回路２０３を介して行うことが可能となる。
【００３０】
なお、本実施の形態では便宜上１枚の撮影レンズで示しているが、実際は多数のレンズ群により構成されている。
【００３１】
ＡＦ駆動回路２０２は、たとえば超音波モータによって構成され、レンズ制御回路２０１は撮影レンズ２００内のフォーカスレンズ位置を制御し、撮像素子３３に撮影光束の焦点を合わせるように調整する。２０３は絞り駆動回路であり、たとえばステッピングモータなどによって構成され、レンズ制御回路２０１によって絞り２０４を開閉させ、光学的な絞り値を得るように構成されている。
【００３２】
図１は本実施の形態に係る撮像装置を光軸で切断した断面概略図である。図４は本発明の実施形態を構成する要素の分解図である。
【００３３】
ハーフミラー４００は、ミラーボックス５００に任意の角度で固定保持され、不図示の撮像レンズ２００を通過する撮像光束を光軸に沿って、撮像素子３３へ導くと同時に、その一部を透過させてファインダ光学系４へ導く。
【００３４】
ハーフミラー４００の上部には一般的な機械式フォーカルプレーンシャッタと同様の構造を持つ遮光部材３００がミラーボックス５００に備え付けられている。遮光部材３００の上部にはファインダ光学系４が任意に位置決め固定される。遮光部材３００直上には、被写体像を映し出すスクリーン６が位置し、６ａのスクリーン保持部材でファインダ光学系４へ保持されている。
【００３５】
遮光部材３００が図１のＺ方向に駆動し閉じると被写体光束がファインダ光学系４へ導かれるのを遮断でき、ファインダ接眼窓１８からの光束が撮像素子３３へ入光することを防げる。さらに、被写体側から入光する光がミラーボックス５００内、スクリーン６、ペンタプリズム２２などのファインダ光学系の光学部品で反射し、撮像素子に導かれることも防止できる。ファインダ光学系４は４ｄ・４ｅ・４ｆ・４ｇをそれぞれミラーボックス５００の５００ｄ・５００ｅ・５００ｆ・５００ｇで締結、固定される。
【００３６】
ここで、図４は本発明の実施形態を構成する要素の分解図である。図４（ａ）は分解図を正面斜め前方から見た図、図４（ｂ）は分解図を端子側斜め後方より見た図を表している。図５は本発明の実施形態における遮光部材の走行状態を示し、図５（ａ）は遮光部材が開口した状態を上から見た図、図５（ｂ）は遮光部材が開口した状態を底面から見た図、図５（ｃ）は遮光部材が閉じた状態を上から見た図、図５（ｄ）は遮光部材が閉じた状態を底面から見た図を示している。図面を見やすくするために遮光部材カバー板３０１とシャッターのカバー板６０１は省略している。
【００３７】
アパーチャ３０２は撮影光束をファインダ光学系４に導くための開口である。ミラーボックス５００の駆動レバー軸５０１に駆動レバー５０２が回動可能に取り付けられている。駆動レバー５０２には、不図示のトーションスプリングがかけられており、時計回りに回転する力をかけられている。駆動レバー５０２は、駆動ピン５０３を介して羽根群５１０へと回転力を伝達する。駆動レバー５０２は、半月ゴム５０４に駆動ピン５０３が当接することにより走行を完了する。
【００３８】
図６は本発明の実施形態における遮光部材の分解図である。ミラーボックス５００に、羽根群５１０、カバー板５０７の順で取り付けられる。カバー板５０７は光軸方向に高さ規制し、ミラーボックス５００にビス止めする。
【００３９】
羽根群５１０は、メインアーム軸５０１ｄに回動可能に取り付けられ、メインアーム５１１と、サブアーム５１２と、４枚の羽根５１３、５１４、５１５、５１６からなる。
【００４０】
なお、メインアーム５１１は駆動ピン５０２ａと嵌合しており、サブアーム５１２は、サブアーム軸５０１ｅに回動可能に取り付けられている。また、４枚の羽根５１３、５１４、５１５、５１６は、メインアーム５１１とサブアーム５１２に羽根カシメダボ５１７によって回動可能に取り付けられている。
【００４１】
駆動レバー５０２が図示しないトーションスプリングによって回転すると、図５（ｃ）・図５（ｄ）のアパーチャ３０２を遮蔽状態とする展開状態から図５（ａ）・図５（ｂ）のようにアパーチャ３０２を開口状態とする重畳状態になる。羽根群５１０は図１のＺ方向に駆動し、開口時は撮影者側に重なり収納される。羽根群５１０が撮影者側すなわち、機械式フォーカルプレーンシャッタ６００、撮像素子３３の上部に収納されることで、省スペースが可能となる。また、ファインダの光学部品の直下に羽根群５１０を重畳することで、ファインダからの迷光が撮像素子に導かれる事を防止可能となる。
【００４２】
図７は本発明における駆動部材の配置の例を表す図である。アクチュエータが複数ある場合は、アクチュエータの軸を略平行にすると省スペース化が可能である。遮光部材駆動回路１０２に信号が送られると、アクチュエータ５１８が駆動し、歯車ギア・カム５１９を介して、駆動レバー５０２を回転させる。同様にシャッター駆動回路１０３に信号が送られると、アクチュエータ６０２が駆動し、歯車ギア・カム６０３を介してシャッター羽根の駆動レバー６０４を駆動する。
【００４３】
図７（１）はシャッター駆動アクチュエータ６０２と遮光部材駆動アクチュエータ５１８の軸が共にＹ方向で平行になっている。カメラのグリップ部１ａの中にアクチュエータ５１８・６０２を収納できるため、省スペース化が可能となる。
【００４４】
図７（２）はシャッター駆動アクチュエータ６０２と遮光部材駆動アクチュエータ５１８の軸が共にＺ方向で平行になっている。カメラのグリップ部１ａの中にアクチュエータ５１８・６０２を収納できるため、省スペース化が可能となる。
【００４５】
図７（３）はシャッター駆動アクチュエータ６０２と遮光部材駆動アクチュエータ５１８の軸が共にＸ方向で平行になっている。Ｙ方向の省スペース化が可能となる。
【００４６】
図７（４）はシャッター駆動アクチュエータ６０２と遮光部材駆動アクチュエータ５１８の軸が共にＹ方向で平行になっている。アクチュエータをミラーボックス５００の左右に配置することで、Ｚ方向の省スペース化が可能となる。
【００４７】
図７（５）は駆動アクチュエータ６０５のみでシャッター駆動と遮光部材駆動を行う。シャッター駆動回路１０３に信号が送られると、アクチュエータ６０５が駆動し、歯車ギア５１９・カムギア６０３を介してシャッター羽根の駆動レバー６０４を駆動する。カムギア６０３は６０３ａの平歯歯車と６０３ｂの傘歯歯車と６０３ｃのカム部から構成されている。歯車ギア５１９からの駆動力を平歯歯車６０３ａに伝達し、傘歯歯車６０３ｂから傘歯歯車５２０ａに伝達しカム５２０ｂから遮光部材のレバー５０２を回転させる。カム６０３ｃとカム５２０ｂの位相タイミングを任意に設定することで、遮光部材の羽根群５１０を遮光後にシャッター羽根を開口し、シャッター羽根駆動後に遮光部材の羽根群５１０を開口することが可能となる。
【００４８】
図７で示した駆動部材の配置は一例であり、これらの実施形態に限定されるものではなく、その要旨の範囲内で種々の変形及び変更が可能である。
【００４９】
図１においてペンタプリズム２２はハーフミラー４００によって反射された撮影光束を正立正像に変換する。正立正像に変換された撮影光束はファインダー光学系４を介して、ファインダ接眼窓１８に導かれ、撮影者が被写体像を観察可能にしている。また、ペンタプリズム２２は、撮影光束の一部を測光センサ３７にも導く。測光回路１０６は、測光センサ３７の出力を得て、観察面上の各エリアの輝度信号に変換し、ＭＰＵ１００に出力する。ＭＰＵ１００は、得られる輝度信号から露出値を計算する。
【００５０】
機械式フォーカルプレーンシャッタ６００は、遮光部材３００と略直行かつ、遮光部材３００の羽根群５１０の収納位置直下に配置される。機械式フォーカルプレーンシャッタ６００は、撮像時にはレリーズ信号に応じて、羽根群を図１のＹ方向に駆動し所望の露光時間を得る。また、フォーカルプレーンシャッタ６００は、ＭＰＵ１００の指令を受けたシャッタ駆動回路１０３によって制御される。
【００５１】
撮像素子３３は遮光部材３００と略直行かつ、遮光部材３００の羽根群５１０の収納位置直下に位置し、３３ａ、３３ｂ、３３ｃがそれぞれミラーボックスの５００ａ、５００ｂ、５００ｃとビスで締結されている。撮像素子３３は、撮像デバイスであるＣＭＯＳが用いられる。撮像デバイスには、ＣＣＤ型、ＣＭＯＳ型およびＣＩＤ型など様々な形態があり、何れの形態の撮像デバイスを採用してもよい。
【００５２】
また、撮像素子は焦点検出センサ機能も搭載し、焦点検出センサ機能から出力された信号は、被写体像信号に換算された後ＭＰＵ１００へ送信される。ＭＰＵ１００は被写体像信号に基づいて、焦点検出演算を行う。そして、デフォーカス量およびデフォーカス方向を求め、これに基づき、レンズ制御回路２０１およびＡＦ駆動回路２０２を介して、撮影レンズ２００内のフォーカスレンズを合焦位置まで駆動する。
【００５３】
レリーズ釦７が第１のストロークまで押圧操作され、焦点検出演算を行いフォーカスレンズを合焦位置まで駆動する。レリーズ釦７が第２のストロークの押圧操作がされると、遮光部材駆動回路１０２に駆動信号が送られ、遮光部材３００を開口状態（図５（ａ））から遮光状態（図５（ｃ））に駆動する。
【００５４】
遮光部材３００が閉じると、所望の露光時間にもとづきシャッター駆動回路１０３に信号が送られ機械式フォーカルプレーンシャッター６００が駆動し、撮像素子３３は露光される。露光完了後に遮光部材３００を遮光（図５（ｃ））から開口状態（図５（ａ））に駆動し、撮影者がファインダより被写体を観察できる状態にする。この間に撮像デバイスでは撮像演算処理が行われている。遮光部材３００が開口し、撮像処理完了後にシャッター駆動回路１０３に信号が送られ、機械式フォーカルプレーンシャッターは駆動され、レリーズ釦の第２ストロークが押圧前の状態（撮像準備状態）になる。
【００５５】
３４はクランプ／ＣＤＳ（相関二重サンプリング）回路であり、Ａ／Ｄ変換する前の基本的なアナログ処理を行うとともに、クランプレベルの変更も可能である。３５はＡＧＣ（自動利得調整装置）であり、Ａ／Ｄ変換する前の基本的なアナログ処理を行うとともに、ＡＧＣ基本レベルの変更も可能である。３６はＡ／Ｄ変換器であり、撮像素子３３のアナログ出力信号をデジタル信号に変換する。
【００５６】
略矩形の形状を有する光学部材３２は、異物付着防止のため表面は導電性物質で覆われ、撮像素子３３に入射される光束の不要な赤外光をカットする。１１３は光学ローパスフィルタで、水晶からなる複屈折板および位相板を複数枚貼り合わせて積層している。
【００５７】
積層型の圧電素子１１２は、ＭＰＵ１００に指令を受けた圧電素子駆動回路１１１により加振され、その振動を光学ローパスフィルタ４１０に伝えることで付着した異物を取り除く。
【００５８】
映像信号処理回路１０４は、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１１６を介してカラー液晶モニタ１９に表示される。また、映像信号処理回路１０４は、ＭＰＵ１００の指示により、メモリコントローラ３８を通じて、バッファメモリ３７に画像データを保存することも可能である。更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像データを順次読み出すことも可能である。これにより映像信号処理回路１０４は、Ａ／Ｄ変換器３６から入力されてくる画像データの速度に関わらず、画像処理や圧縮処理を順次行うことが可能となる。
【００５９】
メモリコントローラ３８は、外部インタフェース４０から入力される画像データをメモリ３９に記憶することや、メモリ３９に記憶されている画像データを外部インタフェース４０から出力する機能についても有する。なお、メモリ３９は、カメラ本体に対して着脱可能なフラッシュメモリなどである。
【００６０】
スイッチセンス回路１０５は、各スイッチの操作状態に応じて入力信号をＭＰＵ１００に送信する。７ａは、レリーズボタン７の第１ストロークによりオンするスイッチＳＷ１である。７ｂは、レリーズボタン７の第２ストロークによりオンするスイッチＳＷ２である。スイッチＳＷ２がオンされると、撮影開始の指示がＭＰＵ１００に送信される。また、スイッチセンス回路１０５には第１の操作ダイヤル８、サブ操作ダイヤル２０、撮影モード設定ダイヤル１４、メインスイッチ４３、クリーニング指示操作部材４４が接続されている。
【００６１】
液晶表示駆動回路１０７は、ＭＰＵ１００の指示に従って、外部液晶表示装置９やファインダ内液晶表示装置４１を駆動する。
【００６２】
バッテリチェック回路１０８は、ＭＰＵ１００からの信号に従って、所定時間バッテリチェックを行い、その検出出力をＭＰＵ１００へ送る。４２は電源部であり、カメラの各要素に対して、必要な電源を供給する。
【００６３】
１０９は時刻計測回路でメインスイッチ４３がＯＦＦされて次にＯＮされるまでの時間や日付を計測し、ＭＰＵ１００からの指令により、計測結果をＭＰＵ１００へ送信する。
【００６４】
以上述べてきた構成は一般的な撮像装置の構成を示しており、本発明はこれらの実施形態に限定されるものではなく、その要旨の範囲内で種々の変形及び変更が可能である。
【符号の説明】
【００６５】
４  ファインダ光学系、６  スクリーン、３３  撮像素子、３００  遮光部材、
４００  光学部材（ハーフミラー）、５００  保持部材、６００  撮像素子遮光部材、
６０５  駆動部材
【図１】
2016133691.tif 000003
【図２】
2016133691.tif 000004
【図３】
2016133691.tif 000005
【図４】
2016133691.tif 000006
【図５】
2016133691.tif 000007
【図６】
2016133691.tif 000008
【図７（１）】
2016133691.tif 000009
【図７（２）】
2016133691.tif 000010
【図７（３）】
2016133691.tif 000011
【図７（４）】
2016133691.tif 000012
【図７（５）】
2016133691.tif 000013